(57)【要約】【課題】金属製のＩＣチップを及びアンテナの導電性を低下させることなく、常に良好に読み取り書き込み装置との間でデータの送受信を行うことが可能な荷札を提供する。【解決手段】所要のデータを記録しうるＩＣチップ３０及び、当該ＩＣチップ３０に格納されたデータ信号を読み取り書き込み装置との間で送受信しうるアンテナ３１とを有するインレット２と、このインレット２を被覆収納するカバー部材３とを備え、上記カバー部材３は、外部からの荷重に対して復元性を有すると共に上記ＩＣチップ３０及びアンテナ３１が腐蝕しない素材により形成されている。【選択図】図１
2005215766.tif 000002
【特許請求の範囲】
【請求項１】
所要のデータを記録しうるＩＣチップ及び、当該ＩＣチップに格納されたデータ信号を読み取り書き込み装置との間で送受信しうるアンテナとを有するインレットと、このインレットを被覆収納するカバー部材とを備えた荷札であって、上記カバー部材は、外部からの荷重に対して復元性を有すると共に上記ＩＣチップ及びアンテナが腐蝕しない素材により形成されていることを特徴とする荷札。
【請求項２】
上記ＩＣチップ及びアンテナは導電性を有する金属性であって、上記カバー部材はエチレン−メタクリル酸メチル共重合体樹脂（ＥＭＭＡ）、ポリエチレン、ポリプロピレン等ポリオレフィン系の合成樹脂により形成されていることを特徴とする請求項１記載の荷札。
【請求項３】
上記タグ本体のカバー部材には輪状に変形しうる柔軟性を具えた樹脂シート製の連結ベルトが一体に設けられたことを特徴とする請求項１又は２記載の荷札。
【請求項４】
上記連結ベルトの先端部と、上記タグ本体のカバー部材における連結ベルトが接続した側の端部には、互いに係止可能で、一旦係止するとその係止状態が解除不能となる雌雄一対の留め具が取り付けられたことを特徴とする請求項３記載の荷札。
【請求項５】
上記雌雄一対の留め具は樹脂により成形され、雄側の留め具は、先端に係止フックを有する係止突起を有し、雌側の留め具は、内部に上記係止突起を挿入しうる筒部と、その筒部の内部に上記係止フックを係合しうる係止段部を有し、上記雄側の留め具又は雌側の留め具には軸方向に沿ってスリットが設けられていることを特徴とする請求項４記載の荷札。
【請求項６】
上記インレットは、柔軟性を有し、板状に形成された樹脂製のインレット本体と、このインレット本体上に配置されたＩＣチップ及びアンテナとにより構成されていることを特徴とする請求項１又は５記載の荷札。
【発明の詳細な説明】
【技術分野】
【０００１】
本発明は荷札に係り、特に、ＩＣチップ及びアンテナを備えた荷札の改良に関する。
【背景技術】
【０００２】
一般に、航空貨物等や一般旅行者の手荷物には、荷物の所有者等の、所要のデータを記録した荷札が取り付けられる。
【０００３】
ところで、最近はＩＣを用いた荷札が開発されている。このような、いわゆるＩＣ荷札は、従来、ＩＣチップ及び、ＩＣチップに格納されたデータ信号を読み取り書き込み装置との間で送受信しうる導電性のアンテナが設けられたインレットを内装し、このインレットが樹脂製ケースにより被覆収納されることにより形成されている。
【０００４】
また、上記樹脂製ケースは、ポリ塩化ビニル（ポリビニルクロライド）製のシート又はＥＶＡからなるシートの表裏をポリプロピレン又はポリエチレン素材又はポリエチレン素材のシート等によりサンドイッチ状に挟んだ三層構造に形成されている。
【０００５】
しかしながら、このような上記従来のＩＣタグに用いられている樹脂シートにあっては、ウェルダー溶着により縫合する際に、上記ＥＶＡが溶融してＩＣチップ及び導電性を有するアンテナに付着し、そのＥＶＡに含まれる成分によりＩＣチップ及び導電性のアンテナを形成する金属が腐食する場合があった。
【０００６】
このように、金属製のＩＣチップ及びアンテナが腐蝕した場合には、導電性が低下し、ＩＣチップに格納された情報がアンテナから読み取り書き込み装置に発信できず、また、読み取り書き込み装置からの信号も良好に受信することができず、荷札として機能しない場合がある、という不具合が存していた。
【発明の開示】
【発明が解決しようとする課題】
【０００７】
そこで本発明の課題は、金属製のＩＣチップを及びアンテナの導電性を低下させることなく、常に良好に読み取り書き込み装置との間でデータの送受信を行うことが可能な荷札を提供することにある。
【課題を解決するための手段】
【０００８】
上記課題を解決するために、請求項１記載の本発明に係る荷札は、所要のデータを記録しうるＩＣチップ及び、当該ＩＣチップに格納されたデータ信号を読み取り書き込み装置との間で送受信しうるアンテナとを有するインレットと、このインレットを被覆収納するカバー部材とを備えた荷札であって、上記カバー部材は、外部からの荷重に対して復元性を有すると共に上記ＩＣチップ及びアンテナが腐蝕しない素材により形成されていることを特徴とする。
【０００９】
その結果、本発明に係る荷札にあっては、上記ＩＣチップに荷主のデータ等所要のデータを記録し、例えば、空港の税関等に装備された読み取り書き込み装置に対し上記アンテナによりデータ信号を送受信することができる。
【００１０】
即ち、荷札を読み取り書き込み装置に接触又は近接させた場合には、上記ＩＣチップのＩＣ回路に形成されたアンテナ部が読み取り書き込み装置から発信される信号を受信し、それに対応してメモリ部に記録されている必要なデータ信号を読み取り書き込み装置に送信すると共に、読み取り書き込み装置からのデータがＩＣチップに書き込まれる。
【００１１】
また、請求項２記載の本発明に係る荷札は、上記ＩＣチップ及びアンテナは導電性を有する金属性であって、上記カバー部材はエチレン−メタクリル酸メチル共重合体樹脂（ＥＭＭＡ）、ポリエチレン、ポリプロピレン等ポリオレフィン系の合成樹脂により形成されていることを特徴とする。
【００１２】
従って、本発明に係る荷札にあっては、上記カバー部材はエチレン−メタクリル酸メチル共重合体樹脂（ＥＭＭＡ）、ポリエチレン、ポリプロピレン等ポリオレフィン系の合成樹脂により形成されていることから、上記インレットを内装した状態で、上記カバー部材を高周波溶着により縫合した場合であっても、ＩＣチップ及びアンテナを腐蝕させ、導電性を低下させるような物質が溶出することはない。
その結果、インレット上のＩＣチップ及びアンテナの導電性の低下の事態を防止することができる。
【００１３】
また、請求項３記載の本発明に係る荷札は、上記タグ本体のカバー部材には輪状に変形しうる柔軟性を具えた樹脂シート製の連結ベルトが一体に設けられたことを特徴とする。
【００１４】
従って、本発明に係る荷札にあっては、上記連結ベルトを輪状に曲げて、貨物やバッグ等の手荷物に容易に取り付けることができる。
【００１５】
また、請求項４記載の本発明に係る荷札は、上記連結ベルトの先端部と、上記タグ本体のカバー部材における連結ベルトが接続した側の端部には、互いに係止可能で、一旦係止するとその係止状態が解除不能となる雌雄一対の留め具が取り付けられたことを特徴とする。
【００１６】
従って、本発明に係る荷札にあっては、上記連結ベルトを輪状に曲げて、貨物やバッグ等の手荷物に取り付けた状態で、上記雌雄一対の留め具を係止することにより、タグ本体を貨物やバッグ等の手荷物から取り外せなくなる。
【００１７】
また、請求項５記載の本発明に係る荷札は、上記雌雄一対の留め具は樹脂により成形され、雄側の留め具は、先端に係止フックを有する係止突起を有し、雌側の留め具は、内部に上記係止突起を挿入しうる筒部と、その筒部の内部に上記係止フックを係合しうる係止段部を有し、上記雄側の留め具又は雌側の留め具には軸方向に沿ってスリットが設けられていることを特徴とする。
【００１８】
即ち、本発明に係る荷札にあっては、雄の留め具は上記係止突起を上記筒部に挿入して上記係止フックを上記係止段部に係合させることにより雌の留め具と係止することになる。
この場合、雄側又は雌側の留め具には、軸方向に沿ってスリットが設けられていることから、雄側の係止突起が雌側の筒部内に挿入された場合には、雄側の係止突起が半径方向において収縮するか、又は、雌側の筒部が拡開し、係止突起の筒部への挿入を助けると共に、収縮又は拡開した際の応力により上記係止フックの係止段部への係合を確実なものとする。
【００１９】
また、請求項６記載の発明にあっては、上記インレットは、柔軟性を有し、板状に形成された樹脂製のインレット本体と、このインレット本体上に配置されたＩＣチップ及びアンテナとにより構成されていることを特徴とする。
【００２０】
その結果、インレットも柔軟性を有する素材により形成されていることから、外力が作用した場合であっても、カバー部材と共に変形することができる。
【発明の効果】
【００２１】
請求項１記載の荷札にあっては、上記カバー部材は、ＩＣチップ及びアンテナが腐蝕し、導電性が低下することのない素材により形成されていることから、カバー部材を高周波溶着により縫合した場合であっても、ＩＣチップ及びアンテナが腐蝕するような物質は溶出しない。その結果、ＩＣチップ及びアンテナの導電性が低下することがなく、読み取り書き込み装置との間で、良好な送受信が可能となる。
【００２２】
従って、荷札内には、所要のデータを記録しうると共にデータ信号を空港の税関等に装備された読み取り書き込み装置に対し送受信しうるように形成されたＩＣチップが装備され、格納されたデータを送受信できるように構成されていることから、記録の書き換えができなくなり、テロや密輸等の犯罪を未然に防止することができる。
また、手荷物等に取り付けて宅配業者等に運搬してもらえば、荷物を搬送することなく手ぶらで渡航し、又は帰国できるので、空港内の手荷物回収の煩わしさが解消される。
【００２３】
また、請求項２記載の発明に係る荷札にあっては、ＩＣチップを被覆するカバー部材が、エチレン−メタクリル酸メチル共重合体（以下、ＥＭＭＡという）製の樹脂シートにより形成され、このＥＭＭＡ樹脂シートには、カバー部材をウェルダー溶着した場合に溶け出してＩＣ回路を形成する金属を腐食させる成分が含まれていないので、ＩＣチップが損なわれることはない。
また、ＥＭＭＡ樹脂は耐寒性、耐熱性及び耐候性等にすぐれ、環境変化に強いので、ＩＣチップを被覆することによりＩＣ回路を保護して故障を防ぐことができる。
また、ＥＭＭＡ樹脂は塩ビのように焼却したときに有害物質を発生せず、環境を汚染することがない。
【００２４】
請求項３記載の発明に係る荷札は、上記タグ本体のカバー部材に、輪状に変形しうる柔軟性を具えた樹脂シート製の連結ベルトが一体に設けられたことから、その連結ベルトを輪状に曲げてバッグの持ち手などに通すことにより荷物に容易に取り付けることができる。
【００２５】
また、請求項４記載の発明に係る荷札は、上記連結ベルトの先端部と、上記タグ本体のカバー部材における連結ベルトが接続した側の端部に、互いに係止可能で、一旦係止するとその係止状態が解除不能となる雌雄一対の留め具が取り付けられたことから、上記連結ベルトを切断しない限りタグ本体を荷物から取り外すことができないので、タグを付け替えて密輸等を行うなどの犯罪を防止することができる。
【００２６】
また、請求項５記載の発明に係る荷札は、まず、上記雌雄一対の留め具が樹脂により成形され、金属製の留め具ではないことから留め具の腐食等の事態がなく、その結果、ＩＣ回路に支障をきたす可能性を回避することができ、誤作動の事態を防止することかできる。
また、雄側の留め具における係止突起を、雌側の留め具における筒部の内部に挿入するだけで両者を簡単に接合することができる。
【００２７】
請求項６記載の発明に係る荷札は、上記インレットは、柔軟性を有し、板状に形成された樹脂製のインレット本体と、このインレット本体上に配置されたＩＣチップ及びアンテナとにより構成されていることから、カバー部材に外力が作用した場合であっても、カバー部材と共に変形することができ、衝撃を吸収するので、硬質素材で形成した場合のように折れたり割れたりせず、又、取り扱いやすい。
【発明を実施するための最良の形態】
【００２８】
以下、図面を用いて本発明の実施の形態について説明する。
本実施形態に係る荷札１は、図1及び図２に示すように、所要のデータを記録しうるＩＣチップ３０と、ＩＣチップ３０に格納されたデータを、例えば、空港の税関等に装備された読み取り書き込み装置（図示せず）に対し送受信しうるように形成された及びアンテナ３１を有するインレット２と、このインレット２を被覆して収納するカバー部材３とによりタグ本体４が形成されている。
そして、上記カバー部材３は、外部からの荷重に対して復元性を有すると共に上記ＩＣチップ３０及びアンテナ３１が腐蝕しない素材により形成されている。
また、本実施の形態にあっては、上記ＩＣチップ３０及びアンテナ３１は導電性を有する金属製であって、上記カバー部材３はエチレン−メタクリル酸メチル共重合体樹脂（ＥＭＭＡ）、ポリエチレン、ポリプロピレン等ポリオレフィン系の合成樹脂により形成されている。
【００２９】
また、図1、図3及び図４に示すように、上記タグ本体４のカバー部材３には輪状に変形しうる柔軟性を具えた樹脂シート製の連結ベルト７が一体に設けられている。
また、図1、図3及び図４に示すように、上記連結ベルト７の先端部と、上記タグ本体４のカバー部材３における連結ベルト７が接続した側の端部には、互いに係止可能で、一旦係止するとその係止状態が解除不能となる雌雄一対の留め具８、９が取り付けられている。
【００３０】
また、図４に示すように、上記雌雄一対の留め具８，９は樹脂により成形され、雄の留め具９は、先端に係止フック１０を有すると共に軸方向に沿ってスリット１１を有することにより径方向に縮径可能な係止突起１２と、その係止突起１２の周囲に凹部１３を有する形状に形成され、又、雌の留め具８は、上記雄の留め具９における凹部１３に没入しうるとともにその内部に上記係止突起１２を挿入しうる筒部１４と、その筒部１４の内部に上記係止フック１０を係合しうる係止段部１５を有する形状に形成されている。
そして、本実施の形態にあっては、上記インレット２は、柔軟性を有し、板状に形成された樹脂製のインレット本体３２と、このインレット本体３２上に配置されたＩＣチップ３０及びアンテナ３１とにより構成されている。
【実施例１】
【００３１】
本実施例に係る荷札１は、図１に示すように、カード形に形成されたタグ本体４と、そのタグ本体４に一端が接合された帯状に形成された連結ベルト７とにより構成されている。
【００３２】
上記タグ本体４は、図１及び図２に示すように、長方形状に形成されたインレット２と、このインレット２を被覆するカバー部材３とにより構成されている。上記インレット２は柔軟性を有し、板状に形成された合成樹脂からなり、この表面上にＩＣチップ３０及びアンテナ３１がエッチングにより形成されている。
【００３３】
上記ＩＣチップ３０及びアンテナ３１は、タグ本体４を、例えば、空港等の税関等に装備されている読み取り書き込み装置に対し、一定の距離（例えば、３０ｃｍ）以内に配置した場合には、アンテナ３１が読み取り書き込み装置から発信される信号を受信し、それに対応してＩＣチップ３０に記録されている必要なデータ信号を読み取り書き込み装置に送信すると共に、読み取り書き込み装置により所要のデータが書き込みできるように構成されている。
【００３４】
上記インレット２はカバー部材３により完全に被覆され、そのカバー部材３はエチレン−メタクリル酸メチル共重合体樹脂（ＥＭＭＡ樹脂）シート１６により形成されている。
即ち、表裏２枚のＥＭＭＡ樹脂シート１６の間にインレット２が挟まれて配置され、表裏２枚のＥＭＭＡ樹脂シート１６の周縁部全域がウェルダー溶着により縫合されて形成されている。
【００３５】
上記エチレン−メタクリル酸メチル共重合体樹脂は、酸基が離脱しないため金属を腐食させないという特性を有すると共に、柔軟性を有している。また、ポリ塩化ビニルのように、焼却した場合に有害物質を発生せず、環境を汚染しないという特性も有している。また、耐寒性、耐熱性、耐候性にすぐれ、強度もあり破損しにくい。
【００３６】
上記連結ベルト７は、上記カバー部材３と同一のＥＭＭＡ樹脂シート１６を2枚重合させて細長帯状に形成され、その長さ方向の一端が上記タグ本体４における一方の短辺部中央に溶着により接合されている。
【００３７】
上記連結ベルト７におけるフリーな先端部には雌の留め具８として雌ホック１７が取り付けられている。また、上記タグ本体４における連結ベルト７が接続した側の端部中央には雄の留め具９として雄ホック１８が取り付けられている。
【００３８】
上記雌ホック１７と雄ホック１８は、上記ＩＣチップ２に腐蝕等の支障を来たすことのないように、ＰＥ（ポリエチレン）により形成されている。
【００３９】
上記雌ホック１７と雄ホック１８は、一旦係止すると、その係止を解除できない構造、いわゆる嵌め殺し式に形成されている。従って、上記連結ベルト７を輪状に曲げて荷物に取り付けた状態で上記雌ホック１７と雄ホック１８を係止させると、その連結ベルト７を切断しない限り上記タグ本体４を荷物から取り外すことができなくなる。
【００４０】
上記雌ホック１７は連結ベルト７に固着された取付基部１９から筒部１４が突設され、その筒部１４の内部に係止段部１５が設けられている。
【００４１】
上記雄ホック１８はタグ本体４に固着された取付基部２０から上記筒部１４に挿入可能な係止突起１２が突設され、その係止突起１２は先端部に係止フック１０を有すると共に軸方向に沿ってスリット１１を有し、上記係止フック１０は径方向に縮径可能に形成されている。
また、上記取付基部２０における上記係止突起１２の周囲には、上記筒部１４の先端部が没入しうる環状の凹部１３が形成されている。
【００４２】
上記雄ホック１８の係止突起１２を、上記雌ホック１７の筒部１４に挿入すると、上記係止突起１２の先端部に形成された係止フック１０が、上記筒部１４の内部に形成された係止段部１５に係合して係止状態となる。このとき、上記筒部１４の先端部が上記凹部１３に没入して係止突起１２の周囲が完全に筒部１４によって覆われる。
従って、筒部１４に妨げられて外部から上記係止突起１２を縮径することができないので、上記係止フック１０と上記係止段部１５の係合状態は解除不能となる。
【００４３】
なお、本実施の形態にあっては、雄ホック１８の軸方向に沿ってスリット１１が設けられ、係止フック１０は径方向に縮径可能に形成されている場合を例に説明したが、上記実施の形態に限定されず、例えば、図５に示すように、雌ホック４０側にスリット４１が設けられて雌ホックの筒部が拡開可能に形成されていてもよい。
本実施の形態にあっては、雄ホック４２は係止突起４３を有し、この係止突起４３には前記実施の形態とは異なり、スリット４１は形成されていない。一方、雌ホック４０には、上記係止突起４３を受け入れ可能な筒部４４が突設されており、この筒部４４には径方向において互いに９０度の位置に４箇所に亘ってスリット４１が設けられている。
従って、本実施の形態においては、上記係止突起４３が上記筒部４４に挿入される場合には、上記スリット４１により筒部４４が、若干、直径方向に拡開することによって、係止突起４３を筒部４４内部に受け入れ互いに係合されるものである。
【産業上の利用可能性】
【００４４】
本発明は、所要のデータを記録して、読み取り書き込み装置で読み取り、書き込みする必要のある全ての荷札に適用可能である。
【図面の簡単な説明】
【００４５】
【図１】本発明に係る荷札の一実施の形態であって、タグ本体のカバー部材の一部を破断した状態の斜視図である。
【図２】図１のＡ−Ａ線断面図である。
【図３】連結ベルトを輪状に曲げて雄ホックとメスホックを接合した状態の斜視図である。
【図４】図３のＢ−Ｂ線断面図である。
【図５】本発明に係る荷札に使用される留め具の他の実施の形態を示す半裁断面図である。
【符号の説明】
【００４６】
１    荷札
２    インレット
３    カバー部材
４    タグ本体
７    連結ベルト
８    留め具（雌）
９    留め具（雄）
１０  係止フック
１１  スリット
１２  係止突起
１３  凹部
１４  筒部
１５  係止段部
１６  ＥＭＭＡ樹脂シート
１７  雌ホック
１８  雄ホック
１９  取付基部
２０  取付基部
３０  ＩＣチップ
３１  アンテナ
４０  雌ホック
４１  スリット
４２  雄ホック
４３  係止突起
４４  筒部
【図１】
2005215766.tif 000003
【図２】
2005215766.tif 000004
【図３】
2005215766.tif 000005
【図４】
2005215766.tif 000006
【図５】
2005215766.tif 000007